(57)【要約】  本発明は、本質的には航空機の座席テーブル（１１０）に関し、前記テーブルは、展開位置と収納位置の間で水平方向の経路に沿って移動するのに適したトレイ（１）、垂直軸を有する第１の連結部材によって座席構造物（８）に連結された第１の端部（４．１）と垂直軸を有する第２の連結部材によってトレイ（１）に連結された第２の端部（４．２）を有する可変長の支持アーム（４）、およびトレイ（１）の経路を制御して固有の経路に従うようにするガイド装置（１２１）を備える。【選択図】  図２ａ
2013526444.tif 000002
【特許請求の範囲】
【請求項１】
その大部分が座席構造物（８）の外部に位置決めされる展開位置と、その大部分が前記座席構造物（８）の内部に位置決めされる収納位置の間を、水平方向の経路に沿って移動可能なトレイ（１）と、
垂直軸を有する第１の連結部材（ｈｉｎｇｅｄ  ｊｏｉｎｔ）によって前記座席構造物（８）に連結された第１の端部（４．１）および、垂直軸を有する第２の連結部材によって前記トレイ（１）に連結された第２の端部（４．２）を有する可変長の支持アーム（４）と、
前記トレイ（１）が前記展開位置から前記収納位置の間および、前記収納された位置前記展開位置の間を移動する場合、固有の経路に従うよう前記トレイ（１）の経路を制御するガイド装置（１２１）とを
備えることを特徴とする、座席の座席テーブル（１１０）。
【請求項２】
前記支持アーム（４）が、それぞれが垂直軸を有する連結部材（１１７）によってそれらの端部のうちの１端部において互いに連結された２本のロッド（１１４，１１５）によって形成された２つの要素（１１２）を備え、これらの２つの要素（１１２）は垂直軸を有する連結部材（１１９）によってそれらの端部において互いに連結され、前記支持アーム（４）の２つのヒンジ連結（１１７）が、それぞれ前記支持アーム（４）の端部（４．１）と前記座席構造物（８）間の連結および、前記支持アーム（４）の端部（４．２）と前記トレイ（１）間のヒンジ連結と統合されることを特徴とする、請求項１に記載のテーブル。
【請求項３】
前記ガイド装置（１２１）が、前記トレイに装着された２つのローラ（２）および前記座席構造物に連結された２本の同心のレール（３）を備えることを特徴とする、請求項２に記載のテーブル。
【請求項４】
前記支持アーム（４）が、前記トレイ（１）の移動を助けるために２本の戻しばね（１０）が設けられることを特徴とする、請求項２または３に記載のテーブル。
【請求項５】
前記支持アーム（４）が、
前記第１の連結部材によって前記座席構造物（８）に属するプレート（１４７）に回転式に連結され、少なくとも１本の長手方向のバー（１４２，１４３）を備える第１の部分（１４１）と、
前記第２の連結部材によって前記トレイ（１）に回転式に連結された第２の部分（１４５）とを備え、前記第２の部分（１４５）が前記バー（１４２，１４３）に沿って並進移動可能な方法で前記バー（１４２，１４３）を受け入れるように設計された開口を備えることを特徴とする、請求項１に記載のテーブル。
【請求項６】
前記ガイド装置（１２１）が、
垂直軸を有する第１の連結部材によって前記プレート（１４７）に連結され、前記プレート（１４７）内に作製された溝（１４８）に沿って移動可能である第１の端部（７．１）および、垂直軸を有する第２の連結部材によって前記トレイ（１）に連結された第２の端部（７．２）を有する連結部分（７）と、
前記トレイに装着された少なくとも１つのローラ（２）および、前記座席構造物に連結された１本のレール（３）とを
備えることを特徴とする、請求項５に記載のテーブル。
【請求項７】
前記連結部分（７）がまた、前記トレイ（１）が垂直方向の平面に沿って枢動することを防止する保持装置を備えることを特徴とする、請求項６に記載のテーブル。
【請求項８】
前記保持装置が、前記トレイ（１）の平面に沿って延長するカラーを有する少なくとも１つの保持釘（１５１，１５２）を備え、この保持釘（１５１，１５２）が前記トレイ（１）内に作製された半円形の溝（１５４）の縁部に据え付けられることを特徴とする、請求項７に記載のテーブル。
【請求項９】
前記トレイ（１）が中空であり、前記支持アーム（４）が前記トレイ（１）の前記中空部内に収納されることを特徴とする、請求項１から８のいずれか１項に記載のテーブル。
【請求項１０】
前記トレイ（１）がまた、それが収納された位置にあるとき前記トレイ（１）に関する前記支持アーム（４）のいかなる移動も阻止するロック装置（１２３）を備えることを特徴とする、請求項１から９のいずれか１項に記載のテーブル。
【請求項１１】
請求項１から１０のいずれか１項に記載のテーブルを備えることを特徴とする、航空機の座席構造物（８）。
【発明の詳細な説明】
【技術分野】
【０００１】
本発明は、制御され且つ最適化された経路を有する座席テーブルおよびそれを備えた座席構造物に関する。
【０００２】
本発明の特に好ましい用途は航空機の座席テーブルの分野にある。
【背景技術】
【０００３】
民間航空機は、一般に、旅客が食事、仕事、および書き物をしたり、その上に小物を置けるようにテーブルが設けられている。
【０００４】
これらのテーブルは、飛行中にのみ使用されるものであって、離陸および着陸、または飛行機が難航中は折り畳まれなければならない。
【０００５】
航空機の座席テーブルを展開するために利用される方法は非常に多様で、テーブルの収納位置に依存する。大半のエコノミークラスの座席の場合のように単純な方法もあれば、収納スペースが低減されこのスペースへのアクセスが限定されるためにより複雑で、十分な経験のない旅客には使用が困難でありうる方法もある。
【０００６】
大多数のテーブルは、一般に、１つまたは２つの部分でなるトレイ、および少なくとも１つの支持アームで構成される。収納位置は、垂直方向、水平方向、表面実装、またはドアあるいはカバーで閉じられた凹部内、と多種多様である。
【０００７】
使用が困難なことに加えて、これら既存のテーブルシステムは、旅客の身体および／またはテーブルを含む座席の前方に配置された座席の構造物を妨げうる。
【発明の概要】
【発明が解決しようとする課題】
【０００８】
本発明の目的は、これらの問題に解決策を提供することである。
【課題を解決するための手段】
【０００９】
したがって、本発明は、以下を備えることを特徴とする座席テーブルに関する。
・  その大部分が座席構造物の外部に位置決めされる展開位置と、その大部分が座席構造物の内部に位置決めされる収納位置との間を、水平方向の経路に沿って移動可能なトレイ
・  垂直軸を有する第１の連結部材（ｈｉｎｇｅｄ  ｊｏｉｎｔ）によって座席構造物に連結された第１の端部および、垂直軸を有する第２の連結部材によってトレイに連結された第２の端部を有する可変長の支持アーム
・  トレイが展開位置から収納位置の間および、収納位置から展開位置の間を移動する場合、固有の経路に従うようトレイの経路を制御するガイド装置
【００１０】
第１の作製方法によれば、支持アームは、それぞれが垂直軸を有する連結部材によってそれらの端部のうちの１端部において互いに連結された２本のロッドによって形成された２つの要素を備え、これら２つの要素は垂直軸を有する連結部材によってそれらの端部において互いに連結され、支持アームの２つのヒンジ連結が、それぞれ支持アームの端部と座席構造物間のヒンジ連結および、支持アームの端部とトレイ間のヒンジ連結と統合される（ｍｅｒｇｅｄ）。
【００１１】
ガイド装置は、トレイに装着された２つのローラおよび座席構造物に連結された２本の同心のレールを備える。
【００１２】
支持アームは、好ましくはトレイの移動を助けるために２本の戻しばねが設けられる。
【００１３】
第２の作製方法によれば、支持アームは以下を備える。
・  第１の連結部材によって座席構造物に属するプレートに回転式に連結され、少なくとも１本の長手方向のバーを備える第１の部分
・  第２の連結部材によってトレイに回転式に連結された第２の部分であって、この第２の部分がバーに沿って並進移動可能な方法でバーを受け入れるように設計された開口を備える第２の部分
【００１４】
ガイド装置は、したがって、垂直軸を有する第１の連結部材によってプレートに連結され、プレート内に作製された溝に沿って移動可能である第１の端部および、垂直軸を有する第２の連結部材によってトレイに連結された第２の端部を有する連結部分と、トレイに装着された少なくとも１つのローラおよび座席構造物に連結された１本のレールとによって形成される。
【００１５】
好ましくは、連結部分は、トレイが垂直方向の平面に沿って枢動することを防止する保持装置も備える。
【００１６】
１つの構成によれば、保持装置は、トレイの平面に沿って延在するカラーを有する少なくとも１本の保持釘（ｐｅｇ）を備え、この保持釘が前記トレイ内に作製された半円形の溝の縁部に据え付けられる。
【００１７】
１つの構成によれば、トレイは中空であり、支持アームはトレイの中空部内に収納される。
【００１８】
１つの構成によれば、トレイはまた、それが収納位置にあるときトレイに関する支持アームのいかなる移動も阻止するロック装置を備える。
【００１９】
本発明はまた、本発明によるテーブルを備えることを特徴とする、航空機の座席構造物に関する。
本発明は、下記の記述を読み、添付の図面を検討することでより良く理解されるであろう。これらの図面は、例示の目的だけに示されたものであり本発明を限定するものではない。
【図面の簡単な説明】
【００２０】
【図１】（ａ）および（ｂ）は、本発明による、それぞれ収納位置および展開位置にあるテーブルが設けられた航空機の座席の斜視図
【図２】（ａ）〜（ｃ）は、本発明の第１の作製方法によるテーブルの展開位置から収納位置への切り替えに利用される異なる段階での平面図
【図３】図２（ａ）〜（ｃ）のテーブルと座席構造物間の連結部の詳細図
【図４】（ａ）および（ｂ）は、２つの異なる位置における図２（ａ）〜（ｃ）のテーブルの支持アームの図
【図５】ロック装置に属するヒンジレバーが設けられた図２（ａ）〜（ｃ）のテーブルの斜視図
【図６】（ａ）および（ｂ）は、それぞれロック装置がロックされた位置およびロックが外された位置にある場合の図２（ａ）〜（ｃ）のテーブルの平面図
【図７】（ａ）および（ｂ）は、それぞれ本発明の第２の作製方法により構成された展開位置にあるテーブルの下方および上方からみた図
【図８】展開位置にある図７（ａ）および（ｂ）のテーブルの斜視図
【図９】ガイド装置の構成要素が透明で可視状の図７（ａ）および（ｂ）のテーブルが設けられた座席構造物を備える航空機の座席の平面図
【発明を実施するための形態】
【００２１】
図１−６は、本発明によるテーブルの第１の作製方法を示す。
【００２２】
より詳細には、図１    ａおよび図１ｂは、座席ベース（１０１）およびその座席ベース（１０１）に関してヒンジ連結された背凭れ（１０２）を備える座席（１００）を示す。背凭れ（１０２）は、旅客が臥位にあるリクライニング位置から旅客が座位にある起立位置まで移動することができる。いわゆるＴＴＬ（Ｔａｘｉ、Ｔａｋｅ  ｏｆｆおよびＬａｎｄｉｎｇ）の起立位置は，航空機が離陸、着陸および駐機の局面にある場合に旅客が取る位置である。２つの肘掛（１０５）および（１０６）は、座席ベース（１０１）の両側部上に配置される。
【００２３】
さらに、座席構造物（８）が、座席（１００）の片側に設けられる。この座席構造物（８）は、その上部（８．１）に、旅客が物を置くことができる平面と、その下部（８．２）に、座席（１００）の背後に配置された旅客の足用のフットレストを備える空洞（図示せず）を備える。加えて、座席構造物（８）は、トレイ（１）が収納位置にある場合にトレイ（１）を収納するための水平方向に延長した開口（８．４）を備える。この開口（８．４）は、旅客のフットレストの上方で座席構造物（８）の側部構造物の上部（８．１）の下方に配置される。
【００２４】
座席（１００）はまた、背凭れ（１０２）および座席構造物（８）の後方部分を包囲する囲み（６）を備え、これにより旅客は外部環境から隔離されてよりプライバシーが保てる。「前方」および「後方」という表現は、座席（１００）に着座する旅客に関して与えられたものであり、「前方」の要素は、旅客の前方に配置された要素であり、「後方」の要素は、旅客の後方に配置された要素である。
【００２５】
（１１０）で参照される座席テーブルは、その大部分が座席構造物（８）の外部に位置決めされる展開位置（図２ａ参照）と、その大部分が前記座席構造物（８）の内部に位置決めされる収納位置（図２ｃ参照）の間で移動可能なトレイ（１）を備える。１つの位置から別の位置に移動するために、トレイ（１）は、平坦な水平方向の経路に沿って移動する。「水平方向」および「垂直方向」といる表現は、地上に位置した航空機に関して与えられたものであり、「水平方向」は航空機の床に対して平行であり、「垂直方向」は航空機の床に対して垂直である。それに沿ってテーブルが移動する水平方向の平面はまた、飛行中の機体の傾きを補償するために床に対して数度の角度を形成する平面を含む。
【００２６】
可変長の支持アーム（４）は、垂直軸を有する第１の連結部材によって前記座席構造物（８）に連結された第１の端部（４．１）および、垂直軸を有する第２の連結部材によって前記トレイ（１）に連結された第２の端部（４．２）を有する。２つの要素間のヒンジ連結により、２つの要素は回転軸にしたがって互いに対して回転式に移動可能であることがわかる。
【００２７】
図４ａおよび図４ｂに示すように、支持アーム（４）は、パンタグラフの形状である。このため、支持アーム（４）は、それぞれが垂直軸を有する連結部材（１１７）によってそれらの端部のうちの１端部において互いに連結された２本のロッド（１１４，１１５）によって形成された２つの要素（１１２）を備える。要素（１１２）は、したがってＶ字の形状である。さらに、これら２つの要素（１１２）は、垂直軸を有する連結部材（１１９）によってそれらの端部において互いに連結される。支持アーム（４）は、したがって両側部（要素）が合わさって連結部材で結合された菱型の形状である。支持アーム（４）に利用された構成は、連結部（１１７）に応じて支持アーム（４）の端部間で距離を変更させることができる。また支持アーム（４）の２つの連結部（１１７）は、支持アーム（４）の端部（４．１）と座席構造物（８）間のヒンジ連結および、端部（４．２）とトレイ（１）間のヒンジ連結と統合されることが強調されている。
【００２８】
好ましくは、支持アーム（４）は、座席構造物（８）内で座席テーブル（１１０）の展開および折り畳みを助けるために、２本の戻しばね（１０）が設けられる。このため、各ばね（１０）は、菱型の両側部を形成するロッド（１１４）、（１１５）の２つの対向する側部の端部に装着される。
【００２９】
さらに、トレイ（１）が展開位置と収納位置の間を移動する場合、トレイ（１）の経路を制御するために、ガイド装置（１２１）が利用される。「経路を制御する」とは、トレイ（１）が展開位置から収納位置の間および、収納位置から展開位置の間を移動する場合に固有の経路に従って移動することを、ガイド装置（１２１）が確実にすることを意味する。このため、ガイド装置（１２１）は、トレイ（１）の位置にしたがって特にアーム（４）の長さを制御する。
【００３０】
このガイド装置（１２１）は、トレイ（１）に連結された少なくとも１つのローラ（２）および、座席構造物（８）に装着された１つのカーブしたレール（３）で形成され、ローラ（２）はレール（３）にそって移動する。この場合は、ガイド装置（１２１）は、４つのローラ（２）および２本の同心のレール（３）を備え、レール（３）は、２つのローラ（２）がレール（３）のそれぞれと相互作用するように配置される。
【００３１】
支持アーム（４）とガイド装置（１２１）の組合せによる移動は、前方の座席の囲み（６）と座席テーブル（１１０）の干渉を回避し、同時に、テーブルの展開時に旅客が利用できる空間を最大限に広げる。
【００３２】
トレイ（１）は、好ましくは中空であり、それによって全ての機構、特に支持アーム（４）がトレイ（１）の中空部内に配置されることが可能になり、旅客が指を挟むリスクを回避する。
【００３３】
座席テーブル（１１０）は、好ましくは図５および６に示されたロック装置（１２３）によって収納位置にロックされる。この装置（１２３）は、（トレイ（１）と座席構造物（８）の間ではなく）トレイ（１）と支持アーム（４）の間の相対移動を阻止する。より詳細には、このロック装置（１２３）は、垂直軸を有する連結部材（１２７）によってトレイ（１）に連結されたレバー（１２６）を備える。このレバー（１２６）は、トレイ（１）内の凹部にトレイ（１）の長手方向の側部に沿って配置される。このレバー（１２６）は、１端部に掛け金（１１）を備える。さらに空洞（１２９）が、支持アーム（４）のロッド（１１４，１１５）のうちの１つに設けられる。
【００３４】
ロックされた位置では、掛け金（１１）は、座席テーブル（１１０）の移動をロックするように空洞（１２９）内に配置される。しかし、ロックが外された位置では、掛け金（１１）は、空洞（１２９）から開放されて、旅客が座席テーブル（１１０）を１つの位置から他の位置に自由に移動させることができるようにする。座席テーブル（１１０）の展開および収納は、旅客がレバー（１２６）を単に引っ張ったり押したりすることで容易に実行できる。連結部材（１２７）は、好ましくは、レバー（１２６）が旅客によって操作されないときにトレイ（１）の縁部にレバー（１２６）を引き込むように戻しばねを備えるべきである。
【００３５】
ロック装置（１２３）は、座席テーブル（１１０）のトレイ（１）内に設けられ、したがって座席構造物（８）に追加の装置を設ける必要がない。
【００３６】
図７−９は、本発明による座席テーブル（１１０）を作製する第２の方法を示す。
【００３７】
この作製方法によれば、可変長の支持アーム（４）は、第１の連結部材によってプレート（１４７）に回転式に連結された第１の部分（１４１）を備える。この第１の部分（１４１）は、２本の長手方向に平行なバー（１４２）および（１４３）を備える。支持アーム（４）はまた、第２の連結部材によってトレイ（１）に回転式に連結された第２の部分（１４５）を備える。この第２の部分（１４５）は、バー（１４２）および（１４３）を受け入れるように意図された２つの開口を備える。これにより、第１の部分（１４１）と第２の部分（１４５）の間の距離にしたがって支持アーム（４）の長さを変更することができる。変形として、支持アーム（４）は１本または数本のバー（１４２）、（１４３）を備える。
【００３８】
ガイド装置（１２１）は、座席構造物（８）とトレイ（１）の間に設けられたヒンジ連結部分（７）を備える。連結部分（７）は、垂直軸を有する第１の連結部材によってプレート（１４７）に連結された第１の端部（７．１）を備える。この端部（７．１）はまた、プレート（１４７）内で長手方向の側部間に延在する横方向の溝（１４８）内で移動可能である。連結部分（７）は、垂直軸を有する第２の連結部材によって前記トレイ（１）に連結された第２の端部（７．２）を備える。
【００３９】
好ましくは、連結部分（７）はまた、トレイ（１）が垂直方向の平面で枢動することを防止する保持装置を備える。この場合、保持装置は、２つの保持釘（１５１）および（１５２）を備え、それぞれがトレイ（１）の平面に沿って延在するカラーを有し、これらの保持釘（１５１）および（１５２）は、トレイ（１）内に作製された半円形の溝（１５４）の縁部に据え付けられる。釘（１５１）および（１５２）は、溝（１５４）に沿って移動することができ、釘（１５１）および（１５２）は、トレイ（１）の下面を通ってトレイ（１）の内部を貫通し、カラーは釘（１５１）および（１５２）の上部に配置される。カラーおよび溝（１５４）の縁部は、トレイ（１）の平面内に延在し、カラーの下面は溝の縁部の上面に据え付けられる。
【００４０】
図８および９に示すように、ガイド装置（１２１）はまた、トレイ（１）に連結されたローラ（２）および、座席構造物（８）に装着された少なくとも１本のカーブしたレール（３）を備え、ローラ（２）はレール（３）に沿って移動する。レール（３）のカーブの凹みは旅客側に配置される。
【００４１】
トレイ（１）は、好ましくは中空であり、トレイ（１）が収納された位置にある場合に支持アーム（４）および連結部分（７）をトレイ（１）内に収納する。
【００４２】
ロック装置（１２３）は、当然ながら図７−９に示した第２の作製方法を適合することができ、トレイ（１）を収納位置にロックする。
【符号の説明】
【００４３】
１・・・トレイ
２・・・ローラ
３・・・レール
４・・・支持アーム
６・・・囲い
７・・・連結部分
８・・・座席構造物
１０・・・戻しばね
１１・・・掛け金
１００・・・座席
１０１・・・座席ベース
１０２・・・背もたれ
１０５、１０６・・・肘掛け
１１０・・・座席テーブル
１１２・・・要素
１１４、１１５・・・ロッド
１１７、１１９、１２７・・・連結部材
１２１・・・ガイド装置
１２３・・・ロック装置
１２６・・・レバー
１２９・・・空洞
１４２、１４３・・・バー
１５１,１５２・・・釘
【図１ａ】
2013526444.tif 000003
【図１ｂ】
2013526444.tif 000004
【図２ａ】
2013526444.tif 000005
【図２ｂ】
2013526444.tif 000006
【図２ｃ】
2013526444.tif 000007
【図３】
2013526444.tif 000008
【図４ａ】
2013526444.tif 000009
【図４ｂ】
2013526444.tif 000010
【図５】
2013526444.tif 000011
【図６ａ】
2013526444.tif 000012
【図６ｂ】
2013526444.tif 000013
【図７ａ】
2013526444.tif 000014
【図７ｂ】
2013526444.tif 000015
【図８】
2013526444.tif 000016
【図９】
2013526444.tif 000017
【国際調査報告】
2013526444.tif 000018
2013526444.tif 000019
2013526444.tif 000020
2013526444.tif 000021
2013526444.tif 000022
2013526444.tif 000023